(57)【要約】      （修正有）【課題】妨害信号の信号レベルが過大な場合には、それに応じてＡＧＣ電圧を調整するとともに、妨害信号の信号レベルが過大でない場合には、ＮＦ劣化を防止することが可能なチューナ回路を提供する。【解決手段】チューナ回路は、ＡＧＣ電圧Ｖ１，Ｖ２をそれぞれ供給する２つのＡＧＣ制御ユニット１５，２４を設ける。ＡＧＣ電圧Ｖ１がＡＧＣ電圧Ｖ２より高いときには、ダイオード１１のカソード側の電圧が高くなり、ダイオード１１はＯＦＦ状態となる。一方、ＡＧＣ電圧Ｖ２がＡＧＣ電圧Ｖ１より高いときには、ダイオード１１のアノード側の電圧が高くなり、ダイオード１１はＯＮ状態となる。一方、過大な妨害信号が入力された場合には、ＡＧＣ制御ユニット１５によりＡＧＣアンプ３が制御され、性能劣化を改善可能である。したがって、問題ないレベルの妨害信号では制御電圧Ｖ１による制御は行われず、無駄なＮＦ劣化を防止することができる。【選択図】図２
2006148783.tif 000002
【特許請求の範囲】
【請求項１】
外部から伝達されたＲＦ信号の信号レベルを入力される制御電圧に応じて調整するレベル調整回路を含む受信部と、
前記受信部から伝達されたＲＦ信号をＩＦ信号に変換するＩＦ信号変換回路と、
ＩＦ信号変換回路から伝達された信号を受けて、デジタル復調を実行するための復調部とを備え、
前記ＩＦ信号変換回路は、前記ＩＦ信号の周波数帯域を制限するフィルタを含み、
受信状況に応じて、前記フィルタに入力される前記ＩＦ信号および前記復調部に入力されるＩＦ信号の信号レベルの少なくともいずれか一方に基づいて前記制御電圧を調整するＡＧＣ制御部とをさらに備える、チューナ回路。
【請求項２】
前記ＡＧＣ制御部は、
前記フィルタに入力されるＩＦ信号の信号レベルに応じた第１の制御電圧を生成する第１の電圧生成ユニットと、
前記復調部に入力されるＩＦ信号の信号レベルに応じた第２の制御電圧を生成する第２の電圧生成ユニットと、
前記受信状況に応じて、前記第１および第２の電圧生成ユニットのそれぞれから供給される第１および第２の制御電圧の少なくともいずれか一方を前記可変アンプに供給するための電圧制御部とを含む、請求項１記載のチューナ回路。
【請求項３】
前記電圧制御部は、
前記第２の電圧生成ユニットと前記電圧制御部の出力ノードとの間に設けられた抵抗素子と、
前記抵抗素子と並列に設けられ、アノード側が前記出力ノードと電気的に結合され、カソード側が前記第１の電圧生成ユニットと電気的に結合されたダイオードとを含む、請求項２記載のチューナ回路。
【請求項４】
前記電圧制御部は、
前記電圧制御部の出力ノードと前記第１の電圧生成ユニットとの間に設けられた第１の抵抗素子と、
前記第２の電圧生成ユニットと前記電圧制御部の出力ノードとの間に設けられた第２の抵抗素子とを含み、
前記第１の抵抗素子は、第２の抵抗素子よりも抵抗値が高い、請求項２記載のチューナ回路。
【請求項５】
前記電圧制御部は、制御指示に応答して前記第１および第２の電圧生成ユニットからの前記第１および第２の制御電圧のいずれか一方を出力する、請求項２記載のチューナ回路。
【請求項６】
前記レベル調整回路は、前記ＲＦ信号に対応する電圧信号および前記制御電圧をゲートに受けて、前記ＲＦ信号のレベルを調整するためのＭＯＳトランジスタを含む、請求項１記載のチューナ回路。
【請求項７】
前記レベル調整回路は、前記ＲＦ信号に対応する電圧信号および前記制御電圧をベースに受けて、前記ＲＦ信号のレベルを調整するための第１のバイポーラトランジスタを含む、請求項１記載のチューナ回路。
【請求項８】
前記レベル調整回路は、前記第１のバイポーラトランジスタとカスケード接続され、前記ＲＦ信号のレベルを調整するための第２のバイポーラトランジスタをさらに含む、請求項７記載のチューナ回路。
【請求項９】
前記レベル調整回路は、前記制御電圧に応じて前記ＲＦ信号のレベルを減衰させるアッテネータに相当する、請求項１記載のチューナ回路。
【請求項１０】
前記第１の電圧生成ユニットと前記第２の電圧生成ユニットとのテイクオーバーポイント（カットインレベル）の差は、１０〜３０ｄＢに設定する、請求項２記載のチューナ回路。
【請求項１１】
前記チューナ回路を構成する部品の少なくとも一部は１つのチップで形成される、請求項１〜９のいずれか一項に記載のチューナ回路。
【請求項１２】
請求項１〜１０のいずれか一項に記載の前記チューナ回路を備えた、デジタル放送受信機。
【発明の詳細な説明】
【技術分野】
【０００１】
本発明は、テレビ、ビデオテープレコーダ、セットトップボックス等の機器に使用される、チューナ回路、それを備えたデジタル放送受信機に関する。
【背景技術】
【０００２】
近年、チャンネル数の増加および高画質な画像処理が可能等の理由により、地上波/ＣＡＴＶ放送は、現行のアナログ放送よりデジタル放送に移行されてきている。それにより、デジタル放送を受信するためのデジタル放送受信機の需要が高まってきている。
【０００３】
図９は、従来のデジタル放送受信機内のチューナ回路の概略ブロック図である。
【０００４】
図９を参照して、従来のチューナ回路２００において、アンテナ１に入力された受信信号は、入力フィルタ２により帯域制限を受けた後、可変アンプ３（ＲＦ−ＡＧＣアンプ３とも称される）に入力される。
【０００５】
そして、可変アンプ３において、増幅された受信信号は、段間フィルタ４（ＳＡＷフィルタとも呼ばれる）により帯域制限を受けミキサ回路５に入る。なお、アンテナ１，入力フィルタ２、可変アンプ３、段間フィルタ４は、受信部３０を構成する。
【０００６】
一方、ＰＬＬ回路７により、同調電圧により発振周波数を変化させることが可能な局部発振器６が設けられており、この局部発振器６により、同調電圧に連動した局部発振信号が発生される。なお、ＰＬＬ回路７は、デジタル復調回路２２により制御されているものとする。
【０００７】
ミキサ回路５は、局部発振信号と受信信号とを混合することにより周波数変換を行ない、ＩＦアンプ８に出力される。ＩＦアンプ８は、入力された信号を増幅して段間フィルタ９に出力する。受信信号は、段間フィルタ９により更に帯域制限を受けた後、可変アンプ１０（ＩＦ−ＡＧＣアンプ１０とも称される）にて増幅され、復調部２０へ入力される。なお、ミキサ回路５、局部発振器６、ＰＬＬ回路７、ＩＦアンプ８、段間フィルタ９、ＩＦ−ＡＧＣアンプ１０は、周波数変換部４０を構成する。なお、ＲＦ−ＡＧＣアンプ３およびＩＦ−ＡＧＣアンプ１０は、総括してＡＧＣアンプとも称される。
【０００８】
復調部２０は、ＩＦ−ＡＧＣアンプ１０にて増幅された増幅信号をデジタル信号に変換するＡ／Ｄ変換回路２１（単にＡ／Ｄとも標記する）と、ＱＡＭ復調やＯＦＤＭ復調等のデジタル変調信号を復調するデジタル復調回路２２と、ノイズ等の影響により発生したエラーを訂正する誤り訂正回路２３とを含み、デジタル復調回路２２により、映像信号や音声信号、データ信号等を含むＴＳ（トランスポートストリーム）信号に変換されて出力される。
【０００９】
このＴＳ信号は、デジタル放送受信機内部の回路で映像信号や音声信号やデータ信号にそれぞれ変換されて、それをテレビ（ＴＶ）等の映像表示機によって視聴することが可能となる。
【００１０】
次に、受信信号（妨害信号を含む）のＡＧＣ（Auto Gain Control）動作について説明する。
【００１１】
ＡＧＣ動作は、受信信号（妨害信号を含む）の強弱のレベルに応じて、自動的に最適な性能、具体的には信号レベルの調整を行なう動作であり、一般的にＲＦ信号のためのＲＦ−ＡＧＣアンプと、ＩＦ信号のためのＩＦ−ＡＧＣアンプとが用いられる。
【００１２】
本例においては、ＡＧＣ制御ユニット２４が設けられており、デジタル復調回路２２の指示に応答してＡＧＣ電圧をそれぞれＡＧＣアンプ３およびＡＧＣアンプ１０に供給する。ＲＦ−ＡＧＣアンプ３において、受信信号が弱い時は、ＡＧＣアンプのゲインを上げ、ＮＦ劣化を防ぐとともに、受信信号が強い時はＡＧＣアンプのゲインを下げ、歪み性能の劣化を防ぐようにＡＧＣ電圧を調整する。
【００１３】
ＩＦ−ＡＧＣアンプ１０においても同様に、受信信号の強弱に応じて、Ａ/Ｄ変換回路への入力レベルを可変にするもので、デジタル信号を最適な状態でデジタル復調回路に入力し、最適な復調性能を得るように調整する。
【００１４】
すなわち、ＲＦ−ＡＧＣアンプ３およびＩＦ−ＡＧＣアンプ１０は、デジタル復調回路２２に入力される受信信号のレベルに応じたＡＧＣ電圧の供給を受けて信号レベルの調整を行ない、受信感度すなわち受信性能の向上を図っている。なお、ここでは、デジタル復調回路２２とは別にＡＧＣ制御ユニット２４が示されているがこのＡＧＣ制御ユニットは、デジタル復調回路２２内に設けられても良いし、あるいは、復調部２０の外側に設けることも可能である。
【００１５】
図１０は、段間フィルタ９のフィルタ特性を説明する図である。
【００１６】
図１０に示されるように、受信帯域に含まれるデジタル信号の周波数のみが通過するように段間フィルタ９は、設計されている。したがって、その範囲すなわち帯域外の周波数である妨害信号等については段間フィルタ９で概ね除去される。したがって、妨害信号の強弱は考慮されずに復調部２０のデジタル復調回路２０は、ＡＧＣ制御ユニット２４を用いてＡＧＣ制御しようとする。よって、過大な妨害信号が入力された場合には、それによりＡＧＣアンプ以降の受信信号波形が歪む可能性があり、受信性能が劣化するおそれがある。
【００１７】
図１１は、従来のデジタル放送受信機内の別のチューナ回路の概略ブロック図である。
【００１８】
図１１を参照して、チューナ回路２１０は、チューナ回路２００と比較してＩＦ−ＡＧＣアンプ１０を制御するＡＧＣ制御ユニット２４とは別に、ＲＦ−ＡＧＣアンプ３を制御するＡＧＣ制御ユニット１５（単にＡＧＣとも標記する）を設けた点が異なる。その他の点は、図９で説明したのと同様であるのでその詳細な説明は繰り返さない。
【００１９】
図１１で示されるようにＲＦ−ＡＧＣアンプ３へのＡＧＣ電圧は、ＡＧＣ制御ユニット１５により生成され供給される。
【００２０】
当該チューナ回路２１０は、段間フィルタ９を通過する前の信号で、ＡＧＣ制御されるため、妨害波信号の強弱によっても、ＲＦ−ＡＧＣアンプの増幅レベルが調整され、妨害信号が強くなった場合においても、受信性能の悪化しないチューナ回路を構成することが可能である。
【００２１】
この場合、過大な妨害信号が入力された場合には、ＡＧＣアンプのゲインを下げ、これにより、ＡＧＣアンプ以降の受信信号波形が歪むことを抑制し、性能劣化の改善を図ることが可能であるが、受信信号より妨害信号が大きくなるとＡＧＣ制御されるため妨害が過大ともいえないような妨害信号の信号レベルでもＡＧＣアンプのゲインを下げるＡＧＣ制御を実行するため必要以上にＮＦが劣化する可能性がある。
【００２２】
特開平６−１５３１００号公報においては、隣接チャンネル妨害を検知して、妨害信号のレベルが大きい場合には、ＡＧＣ電圧を制限して、受信性能の悪化しないチューナ回路の構成が開示されている。
【特許文献１】特開平６−１５３１００号公報
【発明の開示】
【発明が解決しようとする課題】
【００２３】
しかしながら、特開平６−１５３１００号公報におけるチューナ回路の構成においては、妨害信号のレベルが所定値以上に大きい場合に、ＡＧＣ電圧を制限するのみの構成であり、妨害信号に応じてＡＧＣ電圧を調整する構成を開示していない。
【００２４】
本発明は、妨害信号の信号レベルが過大な場合には、それに応じてＡＧＣ電圧を調整するとともに、妨害信号の信号レベルが過大でない場合には、ＮＦ劣化を防止することが可能なチューナ回路、それを備えたデジタル放送受信機を提供することを目的とする。
【課題を解決するための手段】
【００２５】
本発明に係るチューナ回路は、外部から伝達されたＲＦ信号の信号レベルを入力される制御電圧に応じて調整するレベル調整回路を含む受信部と、受信部から伝達されたＲＦ信号をＩＦ信号に変換するＩＦ信号変換回路と、ＩＦ信号変換回路から伝達された信号を受けて、デジタル復調を実行するための復調部とを備える。ＩＦ信号変換回路は、ＩＦ信号の周波数帯域を制限するフィルタを含む。受信状況に応じて、フィルタに入力されるＩＦ信号および復調部に入力されるＩＦ信号の信号レベルの少なくともいずれか一方に基づいて制御電圧を調整するＡＧＣ制御部とをさらに備える。
【００２６】
好ましくは、ＡＧＣ制御部は、フィルタに入力されるＩＦ信号の信号レベルに応じた第１の制御電圧を生成する第１の電圧生成ユニットと、復調部に入力されるＩＦ信号の信号レベルに応じた第２の制御電圧を生成する第２の電圧生成ユニットと、受信状況に応じて、第１および第２の電圧生成ユニットのそれぞれから供給される第１および第２の制御電圧の少なくともいずれか一方を可変アンプに供給するための電圧制御部とを含む。
【００２７】
特に、電圧制御部は、第２の電圧生成ユニットと電圧制御部の出力ノードとの間に設けられた抵抗素子と、抵抗素子と並列に設けられ、アノード側が出力ノードと電気的に結合され、カソード側が第１の電圧生成ユニットと電気的に結合されたダイオードとを含む。
【００２８】
特に、電圧制御部は、電圧制御部の出力ノードと第１の電圧生成ユニットとの間に設けられた第１の抵抗素子と、第２の電圧生成ユニットと電圧制御部の出力ノードとの間に設けられた第２の抵抗素子とを含み、第１の抵抗素子は、第２の抵抗素子よりも抵抗値が高い。
【００２９】
特に、電圧制御部は、制御指示に応答して第１および第２の電圧生成ユニットからの第１および第２の制御電圧のいずれか一方を出力する。
【００３０】
好ましくは、レベル調整回路は、ＲＦ信号に対応する電圧信号および制御電圧をゲートに受けて、ＲＦ信号のレベルを調整するためのＭＯＳトランジスタを含む。
【００３１】
好ましくは、レベル調整回路は、ＲＦ信号に対応する電圧信号および制御電圧をベースに受けて、ＲＦ信号のレベルを調整するための第１のバイポーラトランジスタを含む。
【００３２】
特に、レベル調整回路は、第１のバイポーラトランジスタとカスケード接続され、ＲＦ信号のレベルを調整するための第２のバイポーラトランジスタをさらに含む。
【００３３】
好ましくは、レベル調整回路は、制御電圧に応じてＲＦ信号のレベルを減衰させるアッテネータに相当する。
【００３４】
特に、第１の電圧生成ユニットと第２の電圧生成ユニットとのテイクオーバーポイント（カットインレベル）の差は、１０〜３０ｄＢに設定する。
【００３５】
好ましくは、チューナ回路を構成する部品の少なくとも一部は１つのチップで形成される。
【００３６】
好ましくは、上記のチューナ回路を備えた、デジタル放送受信機。
【発明の効果】
【００３７】
本発明に係るチューナ回路は、受信状況に応じてフィルタに入力されるＩＦ信号および復調部に入力されるＩＦ信号の信号レベルの少なくともいずれか一方に基づいて制御電圧を調整するＡＧＣ制御部を設ける。すなわち、受信状況に応じてフィルタ前後の受信信号に基づいた制御電圧を調整して可変アンプに入力されるため妨害信号に対応することも可能であるし、妨害信号が過大でない場合にも対応することが可能である。
【発明を実施するための最良の形態】
【００３８】
以下、この発明の実施の形態について図面を参照しながら詳細に説明する。なお、図中同一または相当部分には同一符号を付し、その説明は繰り返さない。
【００３９】
図１は、本発明の実施の形態に従うチューナ回路１００の概略ブロック図である。
【００４０】
図１を参照して、本発明の実施の形態に従うチューナ回路１００は、アンテナ１と、入力フィルタ２と、ＲＦ−ＡＧＣアンプ３と、段間フィルタ４とで構成される受信部３０と、ミキサ５と、局部発振器６と、ＰＬＬ回路７と、ＩＦアンプ８と、段間フィルタ９と、ＩＦ−ＡＧＣアンプ１０とで構成される周波数変換部４０と、復調部２０と、ＡＧＣ制御ユニット１５と、電圧制御部１６とを備える。
【００４１】
チューナ回路１００は、チューナ回路２１０と比較して、電圧制御部１６をさらに設けた点が異なる。
【００４２】
本発明の実施の形態に従うチューナ回路１００は、アンテナ１により受信信号の入力を受け、入力フィルタ２により帯域制限を受けた後、ＲＦ−ＡＧＣアンプ３に入力される。
【００４３】
そして、ＲＦ−ＡＧＣアンプ３において、増幅された受信信号は、段間フィルタ４により帯域制限を受けミキサ回路５に入る。ミキサ回路５は、局部発振信号と受信信号とを混合することにより周波数変換を行ない、ＩＦアンプ８に出力される。
【００４４】
ＩＦアンプ８は、入力された信号を増幅して段間フィルタ９に出力する。受信信号は、段間フィルタ９により更に帯域制限を受けた後、ＩＦ−ＡＧＣアンプ１０にて増幅され、復調部２０へ入力される。
【００４５】
復調部２０は、上述したようにＩＦ−ＡＧＣアンプ１０にて増幅された増幅信号をデジタル信号に変換するＡ／Ｄ変換回路２１と、ＱＡＭ復調やＯＦＤＭ復調等のデジタル変調信号を復調するデジタル復調回路２２と、ノイズ等の影響により発生したエラーを訂正する誤り訂正回路２３とを含み、デジタル復調回路２２により、映像信号や音声信号、データ信号等を含むＴＳ（トランスポートストリーム）信号に変換されて出力される。
【００４６】
また、ＡＧＣ制御ユニット１５は、段間フィルタ９に入力されるＩＦアンプ８において増幅された受信信号レベルに応じてＡＧＣ制御に用いるＡＧＣ電圧を電圧制御部１６に出力する。
【００４７】
また、上述したようにＡＧＣ制御ユニット２４は、Ａ／Ｄ変換回路２１より入力される信号レベルに応じてＡＧＣ制御に用いるＡＧＣ電圧を電圧制御部１６に出力する。
【００４８】
電圧制御部１６は、ＡＧＣ制御ユニット１５およびＡＧＣ制御ユニット２４から出力されたＡＧＣ電圧に基づいて少なくともいずれか一方を用いてＡＧＣアンプにＡＧＣ電圧を供給する。
【００４９】
図２は、本発明の実施の形態に従う電圧制御部１６を説明する回路構成図である。
【００５０】
図２を参照して、電圧制御部１６は、ダイオード１１と、抵抗１２とを含む。
【００５１】
このダイオード１１および抵抗１２は、ＡＧＣアンプ３と、ＡＧＣ制御ユニット１５およびＡＧＣ制御ユニット２４との間に互いに並列にそれぞれ接続されている。ダイオード１１のアノード側は、電圧制御部１６の出力ノードＮｄと電気的に結合され、カソード側はＡＧＣ制御ユニット１５からのＡＧＣ電圧の供給を受ける。
【００５２】
ＡＧＣアンプ３には、ＡＧＣ制御ユニット１５からダイオード１１を介してＡＧＣ電圧が供給される。また、ＡＧＣ制御ユニット２４から抵抗１２を介してＡＧＣ電圧が供給される。ここで、ＡＧＣ制御ユニット１５，２４からそれぞれＡＧＣ電圧Ｖ１，Ｖ２が生成されるものとする。
【００５３】
ＡＧＣ電圧Ｖ１がＡＧＣ電圧Ｖ２より高いときには、ダイオード１１のカソード側の電圧が高くなり、ダイオード１１はＯＦＦ状態となる。つまりダイオード１１は無い場合と同等になる。
【００５４】
したがって、ダイオード１１がないと考えた場合、ＡＧＣアンプ３のＡＧＣ電圧が供給される端子には電流が殆ど流れないため抵抗１２による電圧降下もほとんどなく制御電圧Ｖ２によってＡＧＣアンプ３は制御される。すなわち、図９で説明したのと同様の状態でＡＧＣアンプ３は制御されている。
【００５５】
次に、ＡＧＣ電圧Ｖ２がＡＧＣ電圧Ｖ１より高いときには、ダイオード１１のアノード側の電圧が高くなり、ダイオード１１はＯＮ状態となる。つまりダイオード１１は小抵抗と考えられる。ダイオード１を小抵抗と考えた場合、ＡＧＣ電圧Ｖ２はＡＧＣ電圧Ｖ１に引き込まれ、ＡＧＣ電圧Ｖ１，Ｖ２の合成電圧となるが、ＡＧＣ電圧Ｖ２がＡＧＣ電圧Ｖ１より高くなればなるほど、小抵抗の値は０Ωに近づくこととなる。したがって、ＡＧＣ電圧Ｖ２による制御ではなく、ＡＧＣ電圧Ｖ１による制御となる。つまり、ＡＧＣ電圧Ｖ１が低くなると、ダイオード１１の抵抗成分が抵抗１２に比較し、充分に小さくなり、等価的に抵抗１２が無いのと同様の状態となる。この状態は、図１１の回路と等価である。
【００５６】
ここで、問題となる様な過大な信号が入力され場合、すなわち、たとえば過大な妨害信号が入力された場合に、ＡＧＣ制御ユニット１５はＡＧＣアンプ３の増幅を抑えるようにＡＧＣ電圧を低く設定する。したがって、上述したようにＡＧＣ電圧Ｖ１，Ｖ２において、ＡＧＣ電圧Ｖ１＜Ｖ２の関係となり、ＡＧＣ電圧Ｖ１により制御されることになる。したがって、過大な妨害信号が入力された場合には、ＡＧＣ制御ユニット１５によりＡＧＣアンプ３が制御され、性能劣化を改善可能である。一方、通常の信号レベルの場合には、ＡＧＣ電圧Ｖ１≧Ｖ２の関係となり、ＡＧＣ電圧Ｖ２により制御されることになる。したがって、問題ないレベルの妨害信号では制御電圧Ｖ１による制御は行なわれず、無駄にＮＦを劣化させるような問題はなくなる。
【００５７】
上記の説明においては、カソード側と出力ノードＮｄとが電気的に結合されるようにダイオード１１を挿入したが、ＡＧＣ電圧が高くなればゲインが下がるような逆特性の可変アンプであれば、ダイオードの極性は反対にする必要がある。
【００５８】
図３は、本発明の実施の形態に従うＲＦ−ＡＧＣアンプ３の回路構成図である。
【００５９】
図３を参照して、ＲＦ−ＡＧＣアンプ３は、コンデンサＣ１〜Ｃ３と、抵抗Ｒ１〜Ｒ４と、電界効果トランジスタ（ＦＥＴ）Ｔ１とを含む。
【００６０】
コンデンサＣ１は、ノードＮｂと入力フィルタ２との間に設けられる。また、抵抗Ｒ１は、電源電圧ＶｃｃとノードＮｂとの間に設けられる。また、抵抗Ｒ２は、ノードＮｂと接地電圧ＧＮＤとの間に設けられる。ノードＮｂとトランジスタＴ１のゲートｇ２と電気的に結合される。ノードＮａは、ＡＧＣ電圧の供給を受ける。また、コンデンサＣ３は、接地電圧ＧＮＤとノードＮａとの間に設けられる。ノードＮａは、トランジスタＴ１のゲートｇ１と電気的に結合される。抵抗Ｒ４は、トランジスタＴ１のソース側と接地電圧ＧＮＤとの間に設けられる。トランジスタＴ１のドレイン側とノードＮａとが電気的に結合される。抵抗Ｒ３は、電源電圧ＶｃｃとノードＮａとの間に設けられる。コンデンサＣ２は、段間フィルタ４とノードＮａとの間に設けられる。
【００６１】
入力フィルタ２を通過した受信信号は、コンデンサＣ１の容量結合によりその電圧レベルがゲートｇ１に入力される。また、他方のゲートｇ２には、ＡＧＣ電圧が入力され、これによりトランジスタＴ１がオンすることにより、トランジスタＴ１のドレイン側のノードＮｃの電圧レベルがＡＧＣ電圧および受信信号に基づいて増幅され、コンデンサＣ２の容量結合によりその増幅されたレベルで段間フィルタ４に出力される。
【００６２】
ここで、ＦＥＴのゲート端子は順抵抗成分が大きく電流が殆ど流れない。したがって、当該構成のＲＦ−ＡＧＣアンプ３において、ＡＧＣ電圧が入力される端子をＦＥＴのゲート端子と電気的に結合することにより抵抗１２による電圧降下を生じさせることなく、ＡＧＣ電圧が入力されることになる。
【００６３】
図４は、本発明の実施の形態に従うＲＦ−ＡＧＣアンプ３ａの回路構成図である。
【００６４】
図４を参照して、ＲＦ−ＡＧＣアンプ３ａは、コンデンサＣ１〜Ｃ３と、抵抗Ｒ３，Ｒ４と、トランジスタＴ２とを含む。トランジスタＴ２は、バイポーラトランジスタである。
【００６５】
トランジスタＴ２のベースは、ノードＮａと電気的に結合される。コレクタは、ノードＮｃと電気的に結合される。エミッタは、抵抗Ｒ４を介して接地電圧ＧＮＤと電気的に結合される。また、コンデンサＣ１は、入力フィルタ２とノードＮａとの間に設けられる。コンデンサＣ２，Ｃ３および抵抗Ｒ３については、図３のＲＦ−ＡＧＣアンプ３で説明したのと同様であるのでその詳細な説明は繰り返さない。
【００６６】
トランジスタＴ２は、コレクタ−エミッタ間に電圧を印加することによりベースへ入力された信号を増幅し、コレクタに出力する。この際ベースにＡＧＣ電圧が印加されることにより出力レベルが調整される。
【００６７】
トランジスタＴ２のベース端子もＦＥＴのゲート端子程ではないが電流が殆ど流れない。したがって、ＡＧＣアンプのＡＧＣ電圧が入力される端子をトランジスタＴ２のベース端子と電気的に結合させることにより抵抗１２による電圧降下をほとんど生じさせることなく、ＡＧＣ電圧の供給を受けることができる。
【００６８】
ＰＮＰ型やＮＰＮ型のトランジスタはＦＥＴと比較して価格が安いため、本構成とすることによりコストを低減することが可能である。
【００６９】
図５は、本発明の実施の形態に従うＲＦ−ＡＧＣアンプ３ｂの回路構成図である。
【００７０】
図５を参照して、ＲＦ−ＡＧＣアンプ３ｂは、ＲＦ−ＡＧＣアンプ３ａと比較して、トランジスタＴ３をさらに設けた点が異なる。トランジスタＴ３は、トランジスタＴ２とカスケード接続され、ベースは、ノードＮａと電気的に結合される。また、トランジスタＴ３のエミッタ側は、トランジスタＴ２のベースと接続される。また、コレクタ側は、ノードＮｃと電気的に結合される。
【００７１】
本例においても同様にＡＧＣ電圧がトランジスタＴ２のベースに入力されるためこのＡＧＣ電圧によりコレクタの出力レベルが制御される。また、カスケード接続に伴い大きな増幅率を得ることができ、ベース電流を１個のトランジスタの時より少なくすることができる。
【００７２】
当該構成を用いることによりＡＧＣアンプに供給されるＡＧＣ電圧の入力される端子をカスケード接続されるトランジスタのベース端子と電気的に結合させることにより抵抗１２による電圧降下はほとんど抑制することができる。
【００７３】
上述したようにＰＮＰ型やＮＰＮ型のトランジスタはＦＥＴと比較して、価格が安いためコストを低減することが可能である。
【００７４】
図６は、本発明の実施の形態に従う可変アッテネータＡＴＮの回路構成図である。
【００７５】
図６を参照して、可変アッテネータＡＴＮは、コンデンサＣ１，Ｃ２と、ダイオードＤ１と、抵抗Ｒ５とを含む。ダイオードＤ１のアノード側は、ノードＮａと電気的に結合され、カソード側はノードＮｃと電気的に結合される。その他の構成素子の接続関係については、上述したのと同様であるのでその詳細な説明は繰り返さない。
【００７６】
ダイオードＤ１は流れる電流によって抵抗値が変化するＰＩＮダイオードである。ダイオードＤ１に電流を流せば抵抗値は下がり、信号は通過し、電流を流さなければダイオードＤ１の抵抗値は上がり、信号は減衰する。この時、ダイオードＤ１のアノード側にＡＧＣ電圧を印加することにより信号レベルを調整することができる。
【００７７】
上述したように可変アッテネータＡＴＮは、ＡＧＣ電圧に応じて受信信号を減衰させる特性を有する。すなわち、増幅動作はしないが、歪みに強く、妨害特性を向上させることが可能である。
【００７８】
したがって、ＡＧＣアンプの代わりにこの可変アッテネータＡＴＮを用いることが可能である。あるいは、この可変アッテネータを固定アンプとともに用いることにより、ＮＦ劣化も改善しつつ、妨害特性を向上させることも可能である。
【００７９】
図７は、本発明の実施の形態の変形例に従うチューナ回路１２０の概略ブロック図である。
【００８０】
図７を参照して、本発明の実施の形態の変形例１に従うチューナ回路１２０は、チューナ回路１１０と比較して、ダイオード１１と、抵抗素子１２とを抵抗素子１７，１８にそれぞれ置換した点が異なる。その他の点は同様であるのでその詳細な説明は繰り返さない。
【００８１】
ここで、抵抗素子１７は、抵抗素子１８と比較して抵抗値が十分に大きいものとする。したがって、当該構成においては、通常動作時には、抵抗素子１７の抵抗値が抵抗素子１８と比較して十分に大きいためＡＧＣ電圧Ｖ２がＡＧＣ電圧Ｖ１の影響を受けにくくなり、ＡＧＣ電圧Ｖ２がＡＧＣフィルタ３に供給される。
【００８２】
一方、過大な信号が入力された場合には、ＡＧＣ電圧Ｖ１が大きく変化するためたとえＡＧＣ電圧Ｖ２が変化しない場合であってもこれに伴い、出力ノードＮｄの電圧レベルが下がりＡＧＣフィルタ３の利得が飽和しないように調整することができる。
【００８３】
図８は、本発明の実施の形態の変形例２に従うチューナ回路１３０の概略ブロック図である。
【００８４】
図８を参照して、本発明の実施の形態の変形例２に従うチューナ回路１３０は、チューナ回路１２０と比較して、抵抗素子１７，１８を削除するとともにスイッチ１９を新たに設けた点と、ＡＧＣ制御ユニット１５をＡＧＣ制御ユニット１５＃に置換した点が異なる。その他の点については、図２で説明したのと同様であるのでその詳細な説明は繰り返さない。
【００８５】
スイッチ１９は、ＡＧＣ制御ユニット１５＃からの制御信号ＣＴに基づいて動作するものとする。
【００８６】
ＡＧＣ制御ユニット１５＃は、図示しないが制御信号ＣＴを生成する信号生成回路を有するものとする。具体的には、ＩＦ信号の信号レベルが所定のしきい値電圧以上かどうかを判定して、それよりも高いレベルであれば例えば制御信号ＣＴを「Ｈ」レベルあるいは「Ｌ」レベルに設定する。そして、制御信号ＣＴに応答してスイッチＣＴは、接続関係を切り換える。具体的には、例えば制御信号ＣＴ（「Ｌ」レベル）に応答してＡＧＣ制御ユニット２４とＡＧＣアンプ３とを電気的に結合する。また、制御信号ＣＴ（「Ｈ」レベル）に応答してＡＧＣ制御ユニット１５＃とＡＧＣアンプ３とを電気的に結合する。
【００８７】
当該構成により、ＡＧＣ電圧の切換を実行することができ、精度の高い制御が可能となる。ここで、問題になるような過大な妨害信号が入力されてきた時は、たとえば制御信号ＣＴ（「Ｈ」レベル）となり、ＡＧＣアンプ３は、ＡＧＣ電圧Ｖ１による制御となり、通常時においては、制御信号ＣＴ（「Ｌ」レベル）となり、ＡＧＣアンプ３は、ＡＧＣ電圧Ｖ２による制御となる。なお、上記のしきい値電圧の設定は、ＡＧＣアンプあるいは可変アッテネータ等の動作極性により決定される。
【００８８】
通常、デジタル放送受信機のテイクオーバーポイントは５０〜６０ｄＢに設定されている。これは、ＡＧＣアンプ以降の回路の歪みが、そのレベル位から起こり始めるためである。ここで、テイクオーバーポイント（カットインレベル）とは、どの信号レベルからＡＧＣ電圧を動作させるかの始動レベルである。つまり、テイクオーバーポイントを７０ｄＢに設定した場合、７０ｄＢ以下の入力レベルではＡＧＣ制御が動作せず、可変アンプや可変アッテネータは最大ゲインとなる。
【００８９】
しかしながら、７０ｄＢより大きいレベルであれば、ＡＧＣ制御が動作し出力レベルが一定になる様に動作する。つまり、８０ｄＢの信号が入力された場合、可変アンプのゲインはテイクオーバーポイント７０ｄＢとの差１０ｄＢ低くなる。
【００９０】
ここで、通常時において、ＡＧＣ制御ユニット２４のテイクオーバ−ポイントを５０〜６０ｄＢに設定するものとする。妨害信号は受信帯域内ではなく受信帯域外であることもあり、入力レベルが過大な妨害信号の場合、それに対応することができない。
【００９１】
したがって、ＡＧＣ制御ユニット１５＃は、それよりも高いテイクオーバーポイントで設定する方が好ましい。たとえば、最小値１０ｄＢ〜最大値３０ｄＢ程の差をつけた７０〜８０ｄＢに設定することが好ましい。
【００９２】
当該方式すなわち、ＡＧＣ制御ユニット１５＃のテイクオーバーポイントをＡＧＣ制御ユニット２４よりも高いテイクオーバーポイントに設定することによりＡＧＣ制御ユニット１５において過大でない妨害信号に対してＡＧＣ制御が働くことなく、２つのＡＧＣ制御ユニットを用いて効率的にＡＧＣ制御を実行し、チューナ回路を最良に動作させることが可能となる。
【００９３】
本願構成の回路の一部あるいは全部を１つのＩＣとすることにより回路構成を簡易化し、性能を改善することができるとともに小型化、省電力化も達成可能である。
【００９４】
また、上記の構成の一部あるいは全部を１つの筐体内に入れることにより、回路構成は簡易化し性能を改善させて、小型化、省電力化も達成可能である。
【００９５】
本実施の形態に従うチューナ回路を１つの筐体にすることにより汎用性が良くなりデジタル放送受信機を設計する場合の設計時間短縮にもつながる。上記チューナ回路は、デジタル放送受信機に搭載され、また、チューナ回路を構成する各部品の一部あるいは全部は、１つのＩＣに搭載することも当然に可能である。これにより、回路の設置面積を縮小し、小型化ならびに省電力化を図ることができる。
【００９６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９７】
【図１】本発明の実施の形態に従うチューナ回路１００の概略ブロック図である。
【図２】本発明の実施の形態に従う電圧制御部１６を説明する回路構成図である。
【図３】本発明の実施の形態に従うＲＦ−ＡＧＣアンプ３の回路構成図である。
【図４】本発明の実施の形態に従うＲＦ−ＡＧＣアンプ３ａの回路構成図である。
【図５】本発明の実施の形態に従うＲＦ−ＡＧＣアンプ３ｂの回路構成図である。
【図６】本発明の実施の形態に従う可変アッテネータＡＴＮの回路構成図である。
【図７】本発明の実施の形態の変形例に従うチューナ回路１２０の概略ブロック図である。
【図８】本発明の実施の形態の変形例２に従うチューナ回路１３０の概略ブロック図である。
【図９】従来のデジタル放送受信機内のチューナ回路の概略ブロック図である。
【図１０】段間フィルタ９のフィルタ特性を説明する図である。
【図１１】従来のデジタル放送受信機内の別のチューナ回路の概略ブロック図である。
【符号の説明】
【００９８】
１  アンテナ、２  入力フィルタ、３，１０  ＡＧＣアンプ、４，９  段間フィルタ、５  ミキサ回路、６  局部発振器、７  ＰＬＬ回路、８  ＩＦ−アンプ、１５，１５＃，２４  ＡＧＣ制御ユニット、１６  電圧制御部、２０  復調部、２１  Ａ／Ｄ変換回路、２２  デジタル復調回路、２３  誤り訂正回路、３０  受信部、４０  周波数変換部、  １００，１１０，１２０，２００，２１０  チューナ回路。
【図１】
2006148783.tif 000003
【図２】
2006148783.tif 000004
【図３】
2006148783.tif 000005
【図４】
2006148783.tif 000006
【図５】
2006148783.tif 000007
【図６】
2006148783.tif 000008
【図７】
2006148783.tif 000009
【図８】
2006148783.tif 000010
【図９】
2006148783.tif 000011
【図１０】
2006148783.tif 000012
【図１１】
2006148783.tif 000013